(57)【特許請求の範囲】
【請求項１】
光学系を介して得られた光信号を画像信号に変換して出力する画像撮像手段と、
前記画像信号を処理して画像データを作成する画像データ作成手段と、
前記記録媒体に記録された画像データを表示する表示手段と、
操作釦を操作することにより、少なくとも撮影モードと再生モードを設定する動作モード設定手段と、
を有するデジタルカメラにおいて、
前記動作モード設定手段により、撮影モードが設定された場合に、前記画像撮像手段により出力された画像信号に基づいて、主画像データと、前記主画像データよりも小さい解像度を有する第１データと、前記第１データと同じデータである第２データと、主画像データよりも小さく前記第１データよりも大きい解像度を有する固有データと、を１つの画像ファイルとして作成する画像ファイル作成手段と、
前記動作モード設定手段により、再生モードが設定された場合に、前記画像ファイルに含まれる第１データと第２データとを比較する画像データ比較手段と、
前記画像データ比較手段により、前記第１データと第２データとが一致していると判断された場合は前記固有データを前記表示手段に表示し、前記第１データと第２データとが一致しないと判断された場合は、前記主画像データを前記表示手段に表示する画像再生手段と、
を備えたことを特徴とするデジタルカメラ。
【請求項２】
更に、送信モードを備え、
前記動作モード設定手段により前記送信モードが設定された場合に、
前記画像データ比較手段により、前記第１データと第２データとが一致していると判断された場合は、登録済みアドレスを表示して該アドレスに前記主画像データを送信し、前記第１データと第２データとが一致しないと判断された場合は、前記表示手段に、アドレスの登録を要求する表示を行うこと
を特徴とする請求項１記載のデジタルカメラ。
【請求項３】
更に、ペン入力手段を備え、
前記画像データ比較手段により、前記第１データと第２データとが一致していると判断された場合は、前記ペン入力手段によるペン入力データを前記主画像データに重ねて表示し、前記第１データと第２データとが一致しないと判断された場合は、前記表示手段に、警告表示を行うこと
を特徴とする請求項１又は２記載のデジタルカメラ。
【発明の詳細な説明】
【０００１】
【発明の属する技術分野】
本発明は、デジタルカメラに関し、さらに詳しくは、オーバーレイ画像の再生処理時間を短縮したデジタルカメラに関するものである。
【０００２】
【従来の技術】
デジタルカメラにおいては、一般に、記録媒体のメモリ容量の有効活用の観点から、撮像画像をＪＰＥＧ（Joint Photographic coding Experts Group）方式等の所定の圧縮方式により圧縮して記録媒体に記録するようになっている。また、撮像画像の圧縮画像を記録媒体に記録する際、記録媒体に記録された撮像画像のインデックス画像として活用されるサムネイル画像を生成し、圧縮画像とともに記録媒体に記録することが行われている。このサムネイル画像は、撮像画像のデータ数を間引いて生成された小サイズの非圧縮画像である。また、従来、電子ビューファインダとして機能するＬＣＤ（Liquid Crystal Display）表示部を備えたデジタルカメラが知られている。このデジタルカメラでは、ＬＣＤ表示部に記録媒体に記録された撮像画像のＬＣＤ表示部への再生表示が可能で、記録画像をＬＣＤ表示部に再生して確認することができるようになっている。
特開平１０−７９９１３号公報には、記録媒体に記録された圧縮画像を表示手段に再生表示する際に生じる待ち時間を軽減するとともに、再生画像を迅速に確認することのできるデジタルカメラについて開示されている。これによると、画像を表示する表示手段を有し、第１の画像とこの第１の画像よりも上記表示手段への再生処理時間が長い第２の画像とにより構成された複数コマの撮像画像が記憶された記憶手段から指定されたコマの撮像画像を読み出し、上記表示手段に表示するデジタルカメラであって、再生すべきコマを指示する指示手段と、再生すべきコマが指示されると、そのコマの第１の画像を上記表示手段に表示した後、そのコマの第２の画像を上記表示手段に表示する表示制御手段とを備えたものである。
【０００３】
【発明が解決しようとする課題】
特開平１０−７９９１３号公報は、カメラ内の独自ルールで作成した第一画像は、画像ファイルをＰＣで編集した場合にサポートされないので、ＰＣで編集後の画像ファイルをカメラに持ってきて再生した場合、第一画像表示をすると正しく再生できないといった不具合がある。
本発明は、かかる課題に鑑み、再生処理時間を短くするとともに、再生表示上の不具合を未然に防ぐデジタルカメラを提供することを目的とする。
【０００４】
【課題を解決するための手段】
本発明はかかる課題を解決するために、請求項１は、光学系を介して得られた光信号を画像信号に変換して出力する画像撮像手段と、前記画像信号を処理して画像データを作成する画像データ作成手段と、前記記録媒体に記録された画像データを表示する表示手段と、操作釦を操作することにより、少なくとも撮影モードと再生モードを設定する動作モード設定手段と、を有するデジタルカメラにおいて、前記動作モード設定手段により、撮影モードが設定された場合に、前記画像撮像手段により出力された画像信号に基づいて、主画像データと、前記主画像データよりも小さい解像度を有する第１データと、前記第１データと同じデータである第２データと、主画像データよりも小さく前記第１データよりも大きい解像度を有する固有データと、を１つの画像ファイルとして作成する画像ファイル作成手段と、前記動作モード設定手段により、再生モードが設定された場合に、前記画像ファイルに含まれる第１データと第２データとを比較する画像データ比較手段と、前記画像データ比較手段により、前記第１データと第２データとが一致していると判断された場合は前記固有データを前記表示手段に表示し、前記第１データと第２データとが一致しないと判断された場合は、前記主画像データを前記表示手段に表示する画像再生手段と、を備えたことを特徴とする。
【０００５】
請求項２は、更に、送信モードを備え、前記動作モード設定手段により前記送信モードが設定された場合に、前記画像データ比較手段により、前記第１データと第２データとが一致していると判断された場合は、登録済みアドレスを表示して該アドレスに前記主画像データを送信し、前記第１データと第２データとが一致しないと判断された場合は、前記表示手段に、アドレスの登録を要求する表示を行うことを特徴とする。
請求項３は、更に、ペン入力手段を備え、前記画像データ比較手段により、前記第１データと第２データとが一致していると判断された場合は、前記ペン入力手段によるペン入力データを前記主画像データに重ねて表示し、前記第１データと第２データとが一致しないと判断された場合は、前記表示手段に、警告表示を行うことを特徴とする。
【００１０】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の実施形態のデジタルスチルカメラのブロック図である。この構成は、被写体の光学画像を集光するレンズ１と、レンズ１により集光された光束を通過、遮断するメカニカルシャッタ２と、レンズ１とメカニカルシャッタ２を通過した光学画像を光電変換するＣＣＤ（Charge Coupled Device：電荷結合素子）３と、ＣＣＤ信号を相関二重サンプリング、及びＡ／Ｄ変換するＣＤＳ(Correlated Double Sampling)、ＡＤ部４と、Ａ／Ｄ変換されだデジタル信号を輝度Ｙ、色差Ｕ、Ｖ信号に変換したり、そのＹＵＶデータをＪＰＥＧ圧縮してデジタル信号処理をするＤＳＰ部５と、メカニカル部を駆動するドライバ部６と、ＣＣＤ駆動回路部７と、カメラ全体を制御するＣＰＵ８と、撮像した画像データ、ファイルからのリードデータを一時期保持するメモリ９と、カメラ外部との通信を行う通信ドライバ部１０と、カメラから着脱可能なメモリカード１１と、ＤＳＰ部５からの映像出力信号をＬＣＤ（Liquid Crystal Display）表示可能な信号に変換する表示コントローラと、実際にそれを表示するＬＣＤからなる表示部１２と、カメラユーザが操作可能なＳＷ部１３と、ペン先のＬＣＤ上のアドレスを検知可能で、その軌跡をメモリ上に保存しできるペン入力装置１４と、外部装置１５から構成されている。
【００１１】
次に、図１を参照しながら、本構成のデジタルスチルカメラ１００の動作概要について説明する。操作者は図示しないファインダから被写体を覗き、ＳＷ部１３のレリーズボタンを押すと、ＣＰＵ８はその信号を検出してドライバ部６に対してレンズ１とメカニカルシャッタ２を駆動して、被写体の画像をＣＣＤ３に合焦させる。必要であれば図示しないストロボを発光させる。これらの一連の動作は、自動的にＣＰＵ８が図示しないセンサの情報に基づいて行われる。ＣＣＤ３に合焦された画像は、クロックにより順次取り出され、ＣＤＳ／ＡＤ部４によりデータに含まれる雑音を低減する。ここで、ＣＣＤ３の出力信号に含まれる雑音は、リセット雑音が支配的である。この雑音を低減するために信号期間に含まれる映像信号とリセット雑音及び、フィールドスルー期間のみに含まれるリセット雑音から両者を引き算することによりリセット雑音をキャンセルしている。そして、そのアナログ信号をＡ／Ｄ変換器によりデジタル信号に変換して、ＤＳＰ部５に入力され、メモリ９に一時保管される。そして、メモリカード１１に格納されたパラメータにより、ＣＰＵ８からの指示によりメモリ９に一時保管されたデータを処理し、その処理された画像をメモリ９に再び格納する。この処理の中にホワイトバランス処理が含まれる。さらに、メモリ９に書き込まれたデータを表示部１２の制御部に送り、ＬＣＤにその内容を表示する。メモリ９は、少なくとも撮像画素の１画面以上の画像データを蓄積することができる画像メモリであり、例えば、ＶＲＡＭ(Video Random Access Memory)、ＳＲＡＭ(Static Random Access Memory)、ＤＲＡＭ(Dynamic Random Access Memory)、あるいはＳＤＲＡＭ（Synchronous DRAM）などの一般に用いられているメモリを用いる。
【００１２】
図２は、本発明の実施形態のソフト構成を示す構成図である。この構成は大きく分けて、メイン処理部２０とそのメイン処理部２０と並行動作できる並行処理部２６に分けられる。また、メイン処理部２０の構成は更に、ＳＷ部１３から一定周期で読み込んだスイッチ情報を判定する操作モード判定処理２１と、ＡＥ(Auto Exposure)自動露光、ＡＦ(Auto Focus)自動焦点、ＡＷＢ(Auto White Balance)自動ホワイトバランスを処理するＡＥ、ＡＦ、ＡＷＢ処理２２と、ヘッダ部、主画像部、第１、第２データ部をファイルに記録する撮影ファイル記録処理２３と、再生する駒番号を決定する再生駒決定処理２４と、駒再生処理に必要なパラメータを与える駒再生開始処理２５から構成されている。また、並行処理部２６は定期タイマ割り込みで、例えば２０ｍｓごとにＳＷ状態をリードする処理を行う定期処理２７と、駒再生開始処理２５からのパラメータに基づいて、定期タイマ割り込みで駒再生を行う駒再生処理２８から構成されている。
【００１３】
図３は、本発明の第１の実施形態のメイン処理フローチャートである。図２を併せて参照しながら説明する。定期処理２７でリードしたＳＷ情報を操作モード判定処理（Ｓ２）で解析し、レリーズ１（ＲＬ１）操作、レリーズ２（ＲＬ２）操作、再生操作、アドレス登録操作、送信操作などに振り分ける。何も操作がない場合は、再び操作モード判定処理（ｓ２）を繰り返すループとなる。
まず、操作モード判定処理（Ｓ２）でＲＬ１操作が選択された場合、ＡＥ、ＡＦ、ＡＷＢ処理が行われる（Ｓ３）。これはレリーズ釦を半押しにした状態であり、その間に前記処理がメイン処理部２０のＡＥ、ＡＦ、ＡＷＢ処理２２で自動的に行われる。
また、レリーズ２（ＲＬ２）操作では、画像がメモリに取り込まれ（Ｓ４）、主画像データが圧縮処理される（Ｓ５）。そして、第１、第２データがサムネイル圧縮処理がなされ（Ｓ６）、更に、主画像データとそれを縮小したサムネイルデータ（第１データ）、及びサムネイルデータと同じデータを第２データとして１つのファイルに書き込む（Ｓ７）。ユーザはこの撮影済み画像ファイルをメモリカードなどからワークメモリへ読み出し、ＬＣＤ上に再生表示できる。
また、再生操作では、再生駒決定処理（Ｓ８）で再生する駒番号が決定され、駒再生開始処理（Ｓ９）が実行される。駒再生開始処理は、並行処理部２６の駒再生処理２８に必要なパラメータを与え、これを起動するのみで終了する。その後メイン処理（Ｓ１）は、操作無し（Ｓ１７）のループとなるが、この間、並行処理部２６の駒再生処理２８は再生処理が完了されるまで継続される。
【００１４】
ここで、カメラは通信ドライバ１０で、画像データをカメラ外部に送り、その送信相手アドレスをカメラ内に登録することができる。アドレス登録操作では、アドレス登録処理（Ｓ１０）操作後に、完了釦をＯＮすると（Ｓ１１）、カメラ内の不揮発性メモリにアドレスが登録される（Ｓ１２）。
次に、送信操作では、送信モードにすると（Ｓ１３）、カメラは、第１、第２データを比較して（Ｓ１４）、一致すれば、そのファイルが撮影された時と同じ、オリジナルファイルであるとして、登録済みのアドレスを自動で表示する（Ｓ１５）。もし、そのファイルが外部ＰＣで修正、変更された場合は、ファイル規則（例えばExif規格）により、ＰＣ側でも第１データであるサムネイルを作成し直し、ファイルに記録され、オリジナルのサムネイルデータである第２データと不一致となり、アドレス登録要求を表示する（Ｓ１６）。このように、何らかの変更されたファイルに関しては、送信前にアドレスの再設定、確認を促すことができる。
【００１５】
図４は、本発明の第２の実施形態のメイン処理フローチャートである。同じ構成要素には同じ参照番号が付されているので、重複する説明は省略する。図４が図３と異なる点は、ペン加筆操作が追加され、再生操作が異なる点である。まず、ペン加筆操作について説明する。記録済み画像に対して、ユーザはペン入力装置を用い、画像上にコメントなどを書き加えられる。通常ペンの軌跡データは、画像データ上に書き加えられず、別のメモリ領域に格納される。ユーザがペン入力後に（Ｓ２０）、完了釦などを押すと（Ｓ２１）、主画像データとペン入力データは別々のデータとして１つのファイル内に書き込まれる（Ｓ２２）。ペン入力データが固有データにあたる。この時、主画像データ自体は加筆修正されていないので第一データも変更はされない。
次に、再生操作について説明する。もし、再生駒決定処理（Ｓ２３）の後、固有データが付加されているかを検出し（Ｓ２４）、無ければ駒再生開始処理（Ｓ２８）を実行し、固有データがあれば、ステップＳ２５に進む。画像ファイルの主画像が、外部ＰＣで修正、変更された場合は、ファイル規則（例えばExif規格）により、ＰＣ側でも第１データであるサムネイルを作成し直し、ファイルに記録する。そして、カメラ側で再度このファイルを再生しようとした場合、オリジナルのサムネイルデータである第２データと新しい第１データは異なり、これにより、カメラは入力したペン入力を主画像再生画像に重ね表示するのを中止し、その旨警告表示する（Ｓ２７）。もし、一致すれば、変更されていないので加筆データの再生を表示する（Ｓ２６）。
【００１６】
図５は、本発明の第３の実施形態のメイン処理フローチャートである。同じ構成要素には同じ参照番号が付されているので、重複する説明は省略する。図５が図３と異なる点は、ＲＬ２操作の一部が変更になり、再生操作が異なる点である。デジタルカメラの高画素化が進み、画像データ量も膨大になっている。このため、再生時にメモリカードから圧縮データを再生するだけで、数秒かかってしまい、再生駒送りが非常に遅くなっている。サムネイルを再生する方法もあるが、サムネイル自体は小画面で表示できるのに適した超低解像度、低データ量であり、大きな画面での表示には使えない。そこで、これを解決するために、ユーザが撮影すると、主画像データと、それを縮小したサムネイルデータ（第１データ）、及びサムネイルデータと同じデータを第２データとして１つのファイルに書き込む（Ｓ４〜６）。また、主画像データからデータ量が主画像よりは小さく、サムネイルデータよりは大きい中間（解像）画質のデータを作成し、これを固有データとする（Ｓ３０）。メモリカードにはこの主画像、第１データ、第２データ、固有データを１つのファイルに書き込む（Ｓ３１）。
再生操作では、再生駒決定処理により駒番号を決定し（Ｓ３２）、第２データと第１データの一致により、主画像データが固有データ作成時と同じデータであるかを判定する（Ｓ３３）。第１、第２データの一致を検出する操作は、データ数が非常に少ないので時間はほとんどかからない。同じと判定した場合は、主画像データより、はるかにデータが小さいがＬＣＤ表示には充分な、中間解像データを再生表示する（Ｓ３４）。これにより再生処理時間を短縮することができる。この後に、主画像を伸長処理し、前記固有データ表示と切り替えても良い。一方、第１、第２データが不一致の場合は、その主画像が何らかの編集をされていることを示すので、前記中間解像データの再生は行わないで、駒再生開始処理（Ｓ３５）に進む。
【００１７】
図６は、本発明の第４の実施形態のメイン処理フローチャートである。同じ構成要素には同じ参照番号が付されている。再生処理時間に影響を与えるのは、主画像データが非常に大きい場合である。主画像データが小さい場合は、逆に固有データを持つとメモリを消費するので再生高速化のメリットはない。ここで、ＣＣＤが１６００×１２００画素、表示ＬＣＤの解像が６４０×４８０画素とする。カメラは撮影モードとして、１６００×１２００サイズでデータ量７００Ｋbyteと、６４０×４８０サイズでデータ量４０Ｋbyteの２モードを持つとする。ＬＣＤに表示するには６４０×４８０サイズで充分であり、６４０×４８０モードを選択すれば、データ量も少なく、固有データを持つ必要は全くない。また、１６００×１２００モードは、固有データに６４０×４８０で４０Ｋbyteの固有データをつければ、メモリは約６％多く消費するが、６４０×４８０同等の再生高速化が図れる。
図のように、撮影ファイル記録処理２３において、ヘッダ部を記録し（Ｓ４０）、次に主画像部を記録し（Ｓ４１）、第１データ部を記録（Ｓ４２）したところで、画素数選択モードで画素数選択情報を参照して（Ｓ４３）、６４０×４８０サイズでデータ量４０Ｋbyteを選択した場合は、固有データを作成しない。また、１６００×１２００サイズでデータ量７００Ｋbyteを選択した場合は、第２データを記録し（Ｓ４４）、固有データ（中間解像圧縮と記録）を記録する（Ｓ４５）。
【００１８】
【発明の効果】
以上記載のごとく本発明によれば、撮影操作モードが選択された場合、前記第２のデータから前記第１のデータを特定し、該特定の結果、前記固有データ付加手段により付加された前記固有データを用いるか否かを選択可能としたので、カメラで付加していたデータを無効とできるので、カメラ側での付加データを用いるといった誤った再生処理を未然に防ぐことができる。
また、第１のデータは、前記主画像データと対を成すように生成されたデータであるので、主画像が編集されたか否かを明確に判断できる。
また、第１のデータは、前記主画像データから所定のデータ量を間引いて生成されたデータであるので、メモリ容量が少なくて済み、再生時間を短くすることができる。
また、固有データは、前記主画像データに対するオーバーレイ画像であるので、主画像データを直に変更する必要がなくなる。
また、前記第１データ及び前記固有データは、共に前記主画像データを所定の圧縮率で縮小した画像データであり、前記固有データの圧縮率が前記第１データの圧縮率に比べて小さいので、ある程度の画質を維持しながら、再生時間を短縮することができる。
また、前記第１のデータと前記第２のデータを比較するデータ比較手段を更に備え、前記操作モード判定手段により送信操作モードが選択された場合、前記データ比較手段により前記第１のデータと前記第２のデータを比較し、該データが一致した場合、登録済みアドレスを表示して該アドレスに前記主画像データを送信し、不一致の場合、アドレスの登録を要求する表示を行うので、何らかの変更されたファイルに関しては、送信前にアドレスの再設定、確認を促すことができる。
【００１９】
また、前記固有データ検出手段により前記固有データが検出され、しかも、前記データ比較手段により前記第１のデータと前記第２のデータを比較し、該データが一致した場合、前記固有データを表示して主画像再生画像にオーバーレイし、不一致の場合、その旨を警告表示して前記主画像再生画像にオーバーレイするのを中止するので、主画像と一致しない加筆データを表示することを防止することができる。
また、前記操作モード判定手段により再生操作モードが選択された場合、前記データ比較手段により前記第１のデータと前記第２のデータを比較し、該データが一致した場合、データ量が前記主画像よりは小さく前記第１のデータより大きい中間解像データを表示するので、ある程度の画質を維持しながら、再生時間を短縮することができる。
また、データ量選択手段により選択された前記画素数又は圧縮率に基づいて前記固有データ及び前記第２データを前記ファイルに書き込むか否かを判断するので、ファイル容量の無駄な消費を避けることができる。
【図面の簡単な説明】
【図１】本発明の実施形態のデジタルスチルカメラのブロック図である。
【図２】本発明の実施形態のソフト構成を示す構成図である。
【図３】本発明の第１の実施形態のメイン処理フローチャートである。
【図４】本発明の第２の実施形態のメイン処理フローチャートである。
【図５】本発明の第３の実施形態のメイン処理フローチャートである。
【図６】本発明の第４の実施形態のメイン処理フローチャートである。
【符号の説明】
１  レンズ、２  メカニカルシャッタ、３  ＣＣＤ、４  ＣＤＳ／ＡＤ部、５ＤＳＰ部、６  ドライバ部、７  ＣＣＤ駆動回路部、８  ＣＰＵ、９  メモリ、１０  通信ドライバ部、１１  メモリカード、１２  表示部、１３  ＳＷ部、１４  ペン入力装置
【図１】
0003837057.tif 000002
【図２】
0003837057.tif 000003
【図３】
0003837057.tif 000004
【図４】
0003837057.tif 000005
【図５】
0003837057.tif 000006
【図６】
0003837057.tif 000007